【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
ポリ（プロピレンカーボネート）を含む包装材料であって、該ポリ（プロピレンカーボネート）中、平均して少なくとも８０％の隣接する単量体単位が頭−尾の配向である、包装材料。
【請求項２】
前記ポリ（プロピレンカーボネート）中、平均して少なくとも９０％の隣接する単量体単位間の結合がカーボネート結合である、請求項１に記載の包装材料。
【請求項３】
前記ポリ（プロピレンカーボネート）の数平均分子量が約４０，０００ｇ／ｍｏｌ〜約４００，０００ｇ／ｍｏｌである、請求項１に記載の包装材料。
【請求項４】
前記ポリ（プロピレンカーボネート）の数平均分子量が約１００，０００ｇ／ｍｏｌ〜約３００，０００ｇ／ｍｏｌである、請求項３に記載の包装材料。
【請求項５】
前記ポリ（プロピレンカーボネート）が、式Ａを有する鎖：
【化１７】
2012532233.tif 000001
を、式Ｄ３を有する鎖：
【化１８】
2012532233.tif 000002
と組み合わせて含み、式中、Ｘが、エポキシドを開環させることができる求核剤の結合した形態を表し、
ｎが、出現するごとに、約５０〜約３，０００の整数であり、
ｙおよびｙ’が、それぞれ独立して０〜６の整数であり、ｙ＋ｙ’が２を超え、
【化１９】
2012532233.tif 000003
が、二酸化炭素または酸化プロピレンと反応してポリマー鎖を開始させることができる２つ以上の官能基を含有する多官能性化合物を表す、請求項１に記載の包装材料。
【請求項６】
前記ポリ（プロピレンカーボネート）が、式Ｂの鎖：
【化２０】
2012532233.tif 000004
をさらに含み、式中、Ｙが、エポキシドを開環させることができる求核剤の結合した形態であり、
ＸおよびＹが異なる、請求項５に記載の包装材料。
【請求項７】
Ｄ３が式：
【化２３】
2012532233.tif 000005
の鎖を含み、式中、ｐが１〜２００の整数（両端を含む）であり、
Ｒ１が任意選択で存在し、存在する場合はメチルである、請求項５に記載の包装材料。
【請求項８】
フィルムを含む、請求項１から７のいずれか一項に記載の包装材料。
【請求項９】
請求項１から７のいずれか一項に記載の包装材料を含む射出成形品。
【請求項１０】
請求項１から７のいずれか一項に記載の包装材料を含む吹込成形品。
【請求項１１】
請求項１から７のいずれか一項に記載の包装材料を含む１回分のサッシェ。
【請求項１２】
請求項１から７のいずれか一項に記載の包装材料を含む食品包装フィルム。
【請求項１３】
請求項１から７のいずれか一項に記載の包装材料を含むクラムシェル包装。
【請求項１４】
ポリ（プロピレンカーボネート）を含む成形用樹脂であって、該ポリ（プロピレンカーボネート）中、平均して少なくとも８０％の隣接する単量体単位が頭−尾の配向である、成
形用樹脂。
【請求項１５】
前記ポリ（プロピレンカーボネート）中、平均して少なくとも９０％の隣接する単量体単位間の結合がカーボネート結合である、請求項１４に記載の成形用樹脂。
【請求項１６】
少なくとも９９％の隣接する単量体単位間の結合がカーボネート結合である、請求項１５に記載の成形用樹脂。
【請求項１７】
前記ポリ（プロピレンカーボネート）の数平均分子量が約１００，０００ｇ／ｍｏｌ〜約３００，０００ｇ／ｍｏｌである、請求項１５に記載の成形用樹脂。
【請求項１８】
前記ポリ（プロピレンカーボネート）が、式Ａを有する鎖：
【化２５】
2012532233.tif 000006
を、式Ｄ３を有する鎖：
【化２６】
2012532233.tif 000007
と組み合わせて含み、式中、Ｘが、エポキシドを開環させることができる求核剤の結合した形態を表し、
ｎが、出現するごとに、約５０〜約３，０００の整数であり、
ｙおよびｙ’が、それぞれ独立して０〜６の整数であり、ｙ＋ｙ’が２を超え、
【化２７】
2012532233.tif 000008
が、二酸化炭素または酸化プロピレンと反応してポリマー鎖を開始させることができる２つ以上の官能基を含有する多官能性化合物を表す、請求項１４に記載の成形用樹脂。
【請求項１９】
前記ポリ（プロピレンカーボネート）が、式Ｂの鎖：
【化２８】
2012532233.tif 000009
をさらに含み、式中、Ｙが、エポキシドを開環させることができる求核剤の結合した形態であり、
ＸおよびＹが異なる、請求項１８に記載の成形用樹脂。
【請求項２０】
Ｄ３が式：
【化３１】
2012532233.tif 000010
の鎖を含み、式中、ｐが１〜２００の整数（両端を含む）であり、
Ｒ１が任意選択で存在し、存在する場合はメチルである、請求項１８に記載の成形用樹脂。
【請求項２１】
加工補助剤、難燃剤、着色料、相溶化剤、抗酸化剤、充填剤および可塑化剤からなる群から選択される１つ以上の添加剤をさらに含む、請求項１４から２０のいずれか一項に記載の成形用樹脂。
【請求項２２】
請求項１４から２０のいずれか一項に記載の成形用樹脂を含む射出成形品。
【請求項２３】
請求項１４から２０のいずれか一項に記載の成形用樹脂を含む吹込成形品。
【手続補正２】
【補正対象書類名】明細書
【補正対象項目名】００２１
【補正方法】変更
【補正の内容】
【００２１】
本明細書中で使用する場合、用語、材料の「融点」とは、示差走査熱量（ＤＳＣ）によって決定される主および副の融解ピークのうち、最も高いピークとして定義される。
例えば、本発明は以下の項目を提供する。
（項目１）
ポリ（プロピレンカーボネート）を含む包装材料であって、該ポリ（プロピレンカーボネート）中、平均して少なくとも８０％の隣接する単量体単位が頭−尾の配向である、包装材料。
（項目２）
少なくとも８５％の隣接する単量体単位が頭−尾の配向である、項目１に記載の包装材料。
（項目３）
少なくとも９０％の隣接する単量体単位が頭−尾の配向である、項目１に記載の包装材料。
（項目４）
少なくとも９５％の隣接する単量体単位が頭−尾の配向である、項目１に記載の包装材料。
（項目５）
前記ポリ（プロピレンカーボネート）中、平均して少なくとも９０％の隣接する単量体単位間の結合がカーボネート結合である、項目１に記載の包装材料。
（項目６）
少なくとも９５％の隣接する単量体単位間の結合がカーボネート結合である、項目５に記載の包装材料。
（項目７）
少なくとも９９％の隣接する単量体単位間の結合がカーボネート結合である、項目５に記載の包装材料。
（項目８）
隣接する単量体単位間の結合の本質的にすべてがカーボネート結合である、項目５に記載の包装材料。
（項目９）
前記ポリ（プロピレンカーボネート）の数平均分子量が約４０，０００ｇ／ｍｏｌ〜約４００，０００ｇ／ｍｏｌである、項目１に記載の包装材料。
（項目１０）
前記ポリ（プロピレンカーボネート）の数平均分子量が約５０，０００ｇ／ｍｏｌ〜約３５０，０００ｇ／ｍｏｌである、項目９に記載の包装材料。
（項目１１）
前記ポリ（プロピレンカーボネート）の数平均分子量が約１００，０００ｇ／ｍｏｌ〜約３００，０００ｇ／ｍｏｌである、項目９に記載の包装材料。
（項目１２）
前記ポリ（プロピレンカーボネート）の数平均分子量が約１５０，０００ｇ／ｍｏｌ〜約２５０，０００ｇ／ｍｏｌである、項目９に記載の包装材料。
（項目１３）
前記ポリ（プロピレンカーボネート）の数平均分子量が約１８０，０００ｇ／ｍｏｌ〜約２２０，０００ｇ／ｍｏｌである、項目９に記載の包装材料。
（項目１４）
前記ポリ（プロピレンカーボネート）の多分散指数が１．７未満である、項目１に記載の包装材料。
（項目１５）
前記ポリ（プロピレンカーボネート）の多分散指数が１．５未満である、項目１４に記載の包装材料。
（項目１６）
前記ポリ（プロピレンカーボネート）の多分散指数が１．３未満である、項目１４に記載の包装材料。
（項目１７）
前記ポリ（プロピレンカーボネート）の多分散指数が１．２未満である、項目１４に記載の包装材料。
（項目１８）
前記ポリ（プロピレンカーボネート）が、式Ａを有する鎖：
【化１７】
2012532233.tif 000011
を、式Ｄ３を有する鎖：
【化１８】
2012532233.tif 000012
と組み合わせて含み、式中、Ｘが、エポキシドを開環させることができる求核剤の結合した形態を表し、
ｎが、出現するごとに、約５０〜約３，０００の整数であり、
ｙおよびｙ’が、それぞれ独立して０〜６の整数であり、ｙ＋ｙ’が２を超え、
【化１９】
2012532233.tif 000013
が、二酸化炭素または酸化プロピレンと反応してポリマー鎖を開始させることができる２つ以上の官能基を含有する多官能性化合物を表す、項目１に記載の包装材料。
（項目１９）
前記ポリ（プロピレンカーボネート）が、式Ｂの鎖：
【化２０】
2012532233.tif 000014
をさらに含み、式中、Ｙが、エポキシドを開環させることができる求核剤の結合した形態であり、
ＸおよびＹが異なる、項目１８に記載の包装材料。
（項目２０）
式Ａの鎖対式Ｄ３の鎖の比が約１：５０〜約５０：１の範囲である、項目１８に記載の包装材料。
（項目２１）
式Ａの鎖対式Ｄ３の鎖の比が約１：５０〜約１：１の範囲である、項目１８に記載の包装材料。
（項目２２）
式Ａの鎖対式Ｄ３の鎖の比が約１：１０〜約１０：１の範囲である、項目１８に記載の包装材料。
（項目２３）
式Ａの鎖対式Ｂの鎖の比が約１：２〜約２：１の範囲である、項目１９に記載の包装材料。
（項目２４）
Ｄ３が式：
【化２１】
2012532233.tif 000015
の鎖を含み、式中、ｑが０〜３２の整数（両端を含む）である、項目１８に記載の包装材料。
（項目２５）
Ｄ３が式：
【化２２】
2012532233.tif 000016
の鎖を含み、式中、ｑが０〜３２の整数（両端を含む）である、項目１８に記載の包装材料。
（項目２６）
Ｄ３が式：
【化２３】
2012532233.tif 000017
の鎖を含み、式中、ｐが１〜２００の整数（両端を含む）であり、
Ｒ１が任意選択で存在し、存在する場合はメチルである、項目１８に記載の包装材料。
（項目２７）
Ｄ３が式：
【化２４】
2012532233.tif 000018
の鎖を含み、式中、Ｒ１およびＲ２のうちの一方がメチルであり、他方が水素であり、Ｒ３およびＲ４のうちの一方がメチルであり、他方が水素である、項目２６に記載の包装材料。
（項目２８）
前記ポリ（プロピレンカーボネート）が少なくとも０．１％の鎖Ｄ３を含有し、ｙおよびｙ’の和が２を超える、項目１８に記載の包装材料。
（項目２９）
前記ポリ（プロピレンカーボネート）が０．５％〜２０％の鎖Ｄ３を含有し、ｙおよびｙ’の和が２を超える、項目２８に記載の包装材料。
（項目３０）
ｎの値が出現するごとにほぼ同じである、項目１８に記載の包装材料。
（項目３１）
フィルムを含む、項目１から３０のいずれか一項に記載の包装材料。
（項目３２）
前記フィルムが少なくとも１０重量％のポリ（プロピレンカーボネート）を含む、項目
３１に記載の包装材料。
（項目３３）
前記フィルムが少なくとも５０重量％のポリ（プロピレンカーボネート）を含む、項目３１に記載の包装材料。
（項目３４）
前記フィルムが少なくとも９０重量％のポリ（プロピレンカーボネート）を含む、項目３１に記載の包装材料。
（項目３５）
前記フィルムが吹込成形フィルムである、項目３１に記載の包装材料。
（項目３６）
前記フィルムが押出成形フィルムである、項目３１に記載の包装材料。
（項目３７）
前記フィルムの厚さが約０．０１〜約１００ｍｉｌである、項目３１に記載の包装材料。
（項目３８）
前記フィルムの厚さが約０．１〜約１０ｍｉｌである、項目３１に記載の包装材料。
（項目３９）
前記フィルムの厚さが約０．２〜約５ｍｉｌである、項目３１に記載の包装材料。
（項目４０）
前記フィルムの厚さが約０．５〜約３ｍｉｌである、項目３１に記載の包装材料。
（項目４１）
前記フィルムが二軸延伸フィルムを含む、項目３１に記載の包装材料。
（項目４２）
前記フィルムがラミネートフィルムを含む、項目３１に記載の包装材料。
（項目４３）
前記フィルムが、充填剤、加工補助剤、難燃剤、着色料、相溶化剤、および可塑化剤からなる群から選択される１つ以上の添加剤を含む、項目３１に記載の包装材料。
（項目４４）
前記ラミネートフィルム中の層が、ポリオレフィン、ポリエステル、ポリエーテル、ポリアミド、ポリスチレン、ポリ塩化ビニル、ポリエチレンテレフタレート、フッ化ポリマー、およびこれらのうちの任意の２つ以上の混合物からなる群から選択されるポリマーを含む、項目４２に記載の包装材料。
（項目４５）
前記ラミネートフィルム中の層が、ポリ乳酸、ポリ（ヒドロキシアルカノエート）、ポリ（プロピレンカーボネート）以外の脂肪族ポリカーボネート、芳香族ポリカーボネート、ポリビニルアルコール、ナイロン（商標）、およびこれらのうちの任意の２つ以上の混合物からなる群から選択されるポリマーを含む、項目４４に記載の包装材料。
（項目４６）
項目１から３０のいずれか一項に記載の包装材料を含む射出成形品。
（項目４７）
項目１から３０のいずれか一項に記載の包装材料を含む吹込成形品。
（項目４８）
項目１から３０のいずれか一項に記載の包装材料を含む１回分のサッシェ。
（項目４９）
項目１から３０のいずれか一項に記載の包装材料を含む食品包装フィルム。
（項目５０）
項目１から３０のいずれか一項に記載の包装材料を含むクラムシェル包装。
（項目５１）
ポリ（プロピレンカーボネート）を含む成形用樹脂であって、該ポリ（プロピレンカーボネート）中、平均して少なくとも８０％の隣接する単量体単位が頭−尾の配向である、成
形用樹脂。
（項目５２）
少なくとも８５％の隣接する単量体単位が頭−尾の配向である、項目５１に記載の成形用樹脂。
（項目５３）
少なくとも９０％の隣接する単量体単位が頭−尾の配向である、項目５１に記載の成形用樹脂。
（項目５４）
少なくとも９５％の隣接する単量体単位が頭−尾の配向である、項目５１に記載の成形用樹脂。
（項目５５）
前記ポリ（プロピレンカーボネート）中、平均して少なくとも９０％の隣接する単量体単位間の結合がカーボネート結合である、項目５１に記載の成形用樹脂。
（項目５６）
少なくとも９５％の隣接する単量体単位間の結合がカーボネート結合である、項目５５に記載の成形用樹脂。
（項目５７）
少なくとも９９％の隣接する単量体単位間の結合がカーボネート結合である、項目５５に記載の成形用樹脂。
（項目５８）
隣接する単量体単位間の結合の本質的にすべてがカーボネート結合である、項目５５に記載の成形用樹脂。
（項目５９）
前記ポリ（プロピレンカーボネート）の数平均分子量が約４０，０００ｇ／ｍｏｌ〜約４００，０００ｇ／ｍｏｌである、項目５１に記載の成形用樹脂。
（項目６０）
前記ポリ（プロピレンカーボネート）の数平均分子量が約５０，０００ｇ／ｍｏｌ〜約３５０，０００ｇ／ｍｏｌである、項目５９に記載の成形用樹脂。
（項目６１）
前記ポリ（プロピレンカーボネート）の数平均分子量が約１００，０００ｇ／ｍｏｌ〜約３００，０００ｇ／ｍｏｌである、項目５９に記載の成形用樹脂。
（項目６２）
前記ポリ（プロピレンカーボネート）の数平均分子量が約１５０，０００ｇ／ｍｏｌ〜約２５０，０００ｇ／ｍｏｌである、項目５９に記載の成形用樹脂。
（項目６３）
前記ポリ（プロピレンカーボネート）の数平均分子量が約１８０，０００ｇ／ｍｏｌ〜約２２０，０００ｇ／ｍｏｌである、項目５９に記載の成形用樹脂。
（項目６４）
前記ポリ（プロピレンカーボネート）の多分散指数が１．７未満である、項目５１に記載の成形用樹脂。
（項目６５）
前記ポリ（プロピレンカーボネート）の多分散指数が１．５未満である、項目６４に記載の成形用樹脂。
（項目６６）
前記ポリ（プロピレンカーボネート）の多分散指数が１．３未満である、項目６４に記載の成形用樹脂。
（項目６７）
前記ポリ（プロピレンカーボネート）の多分散指数が１．２未満である、項目６４に記載の成形用樹脂。
（項目６８）
前記ポリ（プロピレンカーボネート）が、式Ａを有する鎖：
【化２５】
2012532233.tif 000019
を、式Ｄ３を有する鎖：
【化２６】
2012532233.tif 000020
と組み合わせて含み、式中、Ｘが、エポキシドを開環させることができる求核剤の結合した形態を表し、
ｎが、出現するごとに、約５０〜約３，０００の整数であり、
ｙおよびｙ’が、それぞれ独立して０〜６の整数であり、ｙ＋ｙ’が２を超え、
【化２７】
2012532233.tif 000021
が、二酸化炭素または酸化プロピレンと反応してポリマー鎖を開始させることができる２つ以上の官能基を含有する多官能性化合物を表す、項目５１に記載の成形用樹脂。
（項目６９）
前記ポリ（プロピレンカーボネート）が、式Ｂの鎖：
【化２８】
2012532233.tif 000022
をさらに含み、式中、Ｙが、エポキシドを開環させることができる求核剤の結合した形態であり、
ＸおよびＹが異なる、項目６８に記載の成形用樹脂。
（項目７０）
式Ａの鎖対式Ｄ３の鎖の比が約１：５０〜約５０：１の範囲である、項目６８に記載の成形用樹脂。
（項目７１）
式Ａの鎖対式Ｄ３の鎖の比が約１：５０〜約１：１の範囲である、項目６８に記載の成形用樹脂。
（項目７２）
式Ａの鎖対式Ｄ３の鎖の比が約１：１０〜約１０：１の範囲である、項目６８に記載の成形用樹脂。
（項目７３）
式Ａの鎖対式Ｂの鎖の比が約１：２〜約２：１の範囲である、項目６９に記載の成形用樹脂。
（項目７４）
Ｄ３が式：
【化２９】
2012532233.tif 000023
の鎖を含み、式中、ｑが０〜３２の整数（両端を含む）である、項目６８に記載の成形用樹脂。
（項目７５）
Ｄ３が式：
【化３０】
2012532233.tif 000024
の鎖を含み、式中、ｑが０〜３２の整数（両端を含む）である、項目６８に記載の成形用樹脂。
（項目７６）
Ｄ３が式：
【化３１】
2012532233.tif 000025
の鎖を含み、式中、ｐが１〜２００の整数（両端を含む）であり、
Ｒ１が任意選択で存在し、存在する場合はメチルである、項目６８に記載の成形用樹脂。
（項目７７）
Ｄ３が式：
【化３２】
2012532233.tif 000026
の鎖を含み、式中、Ｒ１およびＲ２のうちの一方がメチルであり、他方が水素であり、Ｒ３およびＲ４のうちの一方がメチルであり、他方が水素である、項目７６に記載の成形用樹脂。
（項目７８）
前記ポリ（プロピレンカーボネート）が少なくとも０．１％の鎖Ｄ３を含有し、ｙおよびｙ’の和が２を超える、項目６８に記載の成形用樹脂。
（項目７９）
前記ポリ（プロピレンカーボネート）が０．５％〜２０％の鎖Ｄ３を含有し、ｙおよびｙ’の和が２を超える、項目７８に記載の成形用樹脂。
（項目８０）
ｎの値が出現するごとにほぼ同じである、項目６８に記載の成形用樹脂。
（項目８１）
少なくとも５０重量％のポリ（プロピレンカーボネート）を含む、項目５１から８０のいずれか一項に記載の成形用樹脂。
（項目８２）
少なくとも７０重量％のポリ（プロピレンカーボネート）を含む、項目８１に記載の成形用樹脂。
（項目８３）
少なくとも９０重量％のポリ（プロピレンカーボネート）を含む、項目８１に記載の成形用樹脂。
（項目８４）
加工補助剤、難燃剤、着色料、相溶化剤、抗酸化剤、充填剤および可塑化剤からなる群から選択される１つ以上の添加剤をさらに含む、項目５１から８０のいずれか一項に記載の成形用樹脂。
（項目８５）
ポリオレフィン、ポリエステル、ポリエーテル、ポリアミド、ポリスチレン、ポリ塩化ビニル、ポリエチレンテレフタレート、フッ化ポリマー、およびこれらのうちの任意の２つ以上の混合物からなる群から選択されるポリマーをさらに含む、項目５１から８０のいずれか一項に記載の成形用樹脂。
（項目８６）
ポリ乳酸、ポリ（ヒドロキシアルカノエート）、ポリ（プロピレンカーボネート）以外の脂肪族ポリカーボネート、芳香族ポリカーボネート、ポリビニルアルコール、ナイロン（商標）、およびこれらのうちの任意の２つ以上の混合物からなる群から選択されるポリマーをさらに含む、項目５１から８０のいずれか一項に記載の成形用樹脂。
（項目８７）
項目５１から８０のいずれか一項に記載の成形用樹脂を含む射出成形品。
（項目８８）
項目５１から８０のいずれか一項に記載の成形用樹脂を含む吹込成形品。
（項目８９）
項目５１から８０のいずれか一項に記載の成形用樹脂を含むボトル。
（項目９０）
項目５１から８０のいずれか一項に記載の成形用樹脂を含む押出物品。
（項目９１）
項目５１から８０のいずれか一項に記載の成形用樹脂を含む熱成形物品。